(57)【特許請求の範囲】
【請求項１】
減圧弁本体に一次側開口と二次側開口をその中心線が互いに水平になるように形成し、前記一次側開口と二次側開口間で、かつ、前記中心線と直交する線上に、弁座と、この弁座に対応して一次側開口と二次側開口間の流通を制御する主弁と、前記主弁を結合した弁棒と、前記弁棒の端部に結合したバランスピストンと、前記バランスピストンが収められた調圧室を設け、前記調圧室を前記二次側開口に連通させる通圧路と、前記調圧室の圧力を調整するためのダイヤフラム、圧力調整ネジおよび圧力調整バネ等の圧力調整部材を備え、前記バランスピストンに一次側開口の圧力を調圧室に洩らす洩圧路を形成し、前記ダイヤフラムに前記通圧路の通圧制御するパイロット弁を設けた給水装置用減圧弁であって、前記主弁が前記弁座の二次側開口側に配置されるとともに付勢バネで弁座方向に付勢され、かつ、前記一次側開口の圧力が前記洩圧路から前記調圧室に洩れて前記調圧室の設定圧力より高くなったときは、前記パイロット弁が前記通圧路を開いて前記調圧室の圧力が前記二次側開口に洩れることにより二次側圧力を一定にすることを特徴とする給水装置用減圧弁。
【発明の詳細な説明】
【０００１】
【発明の属する技術分野】
本発明は給水装置に付設し、所要の圧力で給水する給水装置用減圧弁に関する。
【０００２】
【従来の技術】
従来のこの種の給水装置用減圧弁は、図３に示すように減圧弁本体１３に一次側開口１と二次側開口２をその中心線が互いに水平になるように形成し、前記一次側開口１と二次側開口２間で、かつ、前記中心線と直交する線上に、弁座１４と、この弁座１４に対応して一次側開口１と二次側開口２間の流通を制御する主弁３と、前記主弁３を結合した弁棒５と、前記弁棒５の端部に結合したバランスピストン４と、前記バランスピストン４が収められた調圧室８を設け、前記調圧室８を前記二次側開口２に連通させる通圧路１２と、前記調圧室８の圧力を調整するためのダイヤフラム１０、圧力調整ネジ１８および圧力調整バネ６等の圧力調整部材を備えた構成となっている。
【０００３】
【発明が解決しようとする課題】
上記構成の給水装置用減圧弁は、図４に示すように水量が変化しても一次側圧力Ｐ１が一定であれば、二次側圧力Ｐ２を一次側圧力Ｐ１より低い任意の圧力にすることができる。しかし、図５に示すように給水装置の流量Ｑと圧力Ｈの関係は、水量Ｑが増すと吐出圧力、つまり減圧弁から見れば一次側圧力Ｐ１が低下する特性であるため、二次側圧力Ｐ２も低下する課題を有していた。
【０００４】
本発明は前記従来の課題を解決するもので、給水装置の一次側圧力が多少変動しても、二次側圧力を一定に維持できる給水装置用減圧弁を提供することを目的とする。
【０００５】
【課題を解決するための手段】
前記目的を達成するため本発明は、一次側開口と二次側開口間に、弁座と、この弁座に対応して一次側開口と二次側開口間の流通を制御する主弁と、前記主弁を結合した弁棒と、前記弁棒の端部に結合したバランスピストンと、前記バランスピストンが収められた調圧室を設け、前記調圧室を前記二次側開口に連通させる通圧路と、前記調圧室の圧力を調整するためのダイヤフラムを含む圧力調整部材を備え、前記バランスピストンに一次側開口の圧力を調圧室に洩らす洩圧路を形成し、前記ダイヤフラムに前記通圧路の通圧制御するパイロット弁を設けた給水装置用減圧弁であって、主弁が弁座の二次側開口側に配置されるとともに付勢バネで弁座方向に付勢され、かつ、一次側開口の圧力が洩圧路から調圧室に洩れて調圧室の設定圧力より高くなったときは、パイロット弁が通圧路を開いて調圧室の圧力が二次側開口に洩れることにより二次側圧力を一定にする構成とする。
【０００６】
本発明によれば、給水装置の一次側圧力が多少変動しても、二次側圧力を一定に維持できるものであり、たとえば、使用水量が１０Ｌ／ｍｉｎ（台所１ヵ所使用）程度の少ないときも目標とする二次側圧力に調整できる。
【０００７】
【発明の実施の形態】
本発明の請求項１に記載の発明は、減圧弁本体に一次側開口と二次側開口をその中心線が互いに水平になるように形成し、前記一次側開口と二次側開口間で、かつ、前記中心線と直交する線上に、弁座と、この弁座に対応して一次側開口と二次側開口間の流通を制御する主弁と、前記主弁を結合した弁棒と、前記弁棒の端部に結合したバランスピストンと、前記バランスピストンが収められた調圧室を設け、前記調圧室を前記二次側開口に連通させる通圧路と、前記調圧室の圧力を調整するためのダイヤフラム、圧力調整ネジおよび圧力調整バネ等の圧力調整部材を備え、前記バランスピストンに一次側開口の圧力を調圧室に洩らす洩圧路を形成し、ダイヤフラムに通圧路の通圧制御するパイロット弁を設けた給水装置用減圧弁であって、主弁が弁座の二次側開口側に配置されるとともに付勢バネで弁座方向に付勢され、かつ、一次側開口の圧力が洩圧路から調圧室に洩れて調圧室の設定圧力より高くなったときは、パイロット弁が通圧路を開いて調圧室の圧力が二次側開口に洩れることにより二次側圧力を一定にする給水装置用減圧弁であり、バランスピストンの洩圧路から少しずつ一次側圧力を調圧室に洩らし、調圧室の圧力が設定した圧力より高くなるとダイヤフラムを作動させ、そのパイロット弁が通圧路を開いて二次側開口に圧力を逃がして調圧室の圧力を調整し、これにより、二次側開口の圧力を一定にコントロールするという作用を有する。
【０００８】
さらに、主弁が前記弁座の二次側開口側に配置されるとともに付勢バネで弁座方向に付勢されるため、少流量時に、主弁と弁座の開口量を少なくでき、少流量時から目標とする二次側圧力に調整できるという作用を有する。
【０００９】
以下、本発明の給水装置用減圧弁の実施の形態を、図面を参照して説明する。
（実施の形態１）
図１は本発明の実施の形態１の給水装置用減圧弁の断面図、図２は同給水装置用減圧弁の二次側圧力と流量の関係図である。なお、従来例と同じ構成部材には同一符号を付与している。
【００１０】
図１において１３は減圧弁本体であり、左右に一次側開口１と二次側開口２をその中心線が互いに水平になるように形成している。一次側開口１と二次側開口２間で、かつ、中心線と直交する線上に弁座１４を形成してあり、この弁座１４の二次側開口２側に、一次側開口１と二次側開口２間の流通を制御する主弁３を対応させてあり、主弁３を付勢バネ１７で弁座１４方向に付勢している。
【００１１】
主弁３には弁棒５を結合してあり、この弁棒５は中心線と直交する線上に位置し、その先端にピストンリング９を持つバランスピストン４を結合している。減圧弁本体１３の上部にはシリンダ１５および蓋７を取りつけてバランスピストン４が上下動する調圧室８を形成してあり、調圧室８の上側に調圧室８と連通し、かつ、ダイヤフラム１０で覆われた第２の調圧室８ａを形成している。
【００１２】
バランスピストン４のピストンリング９には、一次側開口１の圧力を調圧室８に洩らす隙間や孔等の洩圧路１６を形成してあり、また、第２の調圧室８ａは通圧路１２によって二次側開口２に連通させられている。調圧室８の圧力を調整するためのダイヤフラム１０には、通圧路１２の通圧制御を行うパイロット弁１１を設けてあり、また、ダイヤフラム１０は圧力調整ネジ１８および圧力調整バネ６等の調整部材によって圧力調整される構成となっている。
【００１３】
上記構成の給水装置用減圧弁において、主弁３とバランスピストン４の一次側面の面積はほぼ等しく、同じ圧力がかかるため互いの力は相殺される。よって調圧室８内圧力と主弁３の二次側面にかかる圧力が等しくなるようにバランスピストン４、弁棒５、主弁３が連動することとなる。このとき、主弁３の一次側圧力は、バランスピストン４のピストンリング９の洩圧路１６から少しずつ調圧室８に洩れ、調圧室８の圧力が圧力調整ネジ１８で設定した圧力より高くなると、ダイヤフラム１０が上動してそのパイロット弁１１が通圧路１２を開き、調圧室８の圧力は通圧路１２を通って二次側開口２に逃げ、調圧室８の内圧力、つまり主弁３の二次側圧力は常に一定なる。
【００１４】
次に図２にて主弁３を付勢する付勢バネ１７の働きについて説明する。ここで付勢バネ１７が無い場合、二次側圧力Ｂは１０Ｌ／ｍｉｎおよびＱ１のとき、設定圧力Ｐ２より高くなるが、付勢バネ１７を付けると少流量時に弁座１４と主弁３の隙間を狭くできるため、二次側性能曲線Ａに示すようにポンプ性能曲線Ｃの停止圧力Ｐ０から設定圧力Ｐ２（流量１０Ｌ／ｍｉｎ）まで急速に減圧し、Ｑ１のときも設定圧力Ｐ２にすることができる。
【００１５】
【発明の効果】
前記説明より明らかなように、本発明の給水用減圧弁は、給水装置の一次側圧力が多少変動しても、二次側圧力を一定に維持できるものであり、たとえば、使用水量が１０Ｌ／ｍｉｎ（台所１ヵ所使用）程度の少ないときも目標とする二次側圧力に調整できる。
【００１６】
また、少流量時に、主弁と弁座の開口量を少なくでき、少流量時から目標とする二次側圧力に調整できるという効果を有する。
【図面の簡単な説明】
【図１】本発明の実施の形態１の給水装置用減圧弁の断面図
【図２】同給水装置用減圧弁の二次側圧力と流量の関係図
【図３】従来の給水装置用減圧弁の断面図
【図４】同給水装置用減圧弁における水量変化と一次側、二次側圧力の関係図
【図５】同給水装置用減圧弁における流量と一次側、二次側圧力の関係図
【符号の説明】
１  一次側開口
２  二次側開口
３  主弁
４  バランスピストン
５  弁棒
６  圧力調整バネ
７  蓋
８  調圧室
８ａ  第２の調圧室
９  ピストンリング
１０  ダイヤフラム
１１  パイロット弁
１２  通圧路
１３  減圧弁本体
１４  弁座
１５  シリンダ
１６  洩圧路
１７  付勢バネ
１８  圧力調整ネジ
【図１】
0003584642.tif 000002
【図２】
0003584642.tif 000003
【図３】
0003584642.tif 000004
【図４】
0003584642.tif 000005
【図５】
0003584642.tif 000006